(57)【要約】【課題】本発明は、簡単な構造で、エイミング孔の見栄えの良好化と工具先端部を位置決める作業の容易化とが図れる車両の光軸調整装置を提供する。【解決手段】本発明は、ランプの光が出射する出射光部の周りに設けられるランプベゼル１１と、ランプベゼルの裏面側に配置されてランプの光軸をランプベゼル側から調整可能な光軸調整操作部１５と、ランプベゼルに設けられ、光軸調整用工具１９をランプベゼルの外側から光軸調整操作部へ向けて差し込み可能なエイミング孔１７と、エイミング孔に開閉可能に設けられ、エイミング孔を閉じる閉位置とエイミング孔を開放する開位置との間で回動可能に支持されたカバー３３と、カバーに設けられ、カバーを開位置とした状態で、光軸調整操作部の前方に位置されて、エイミング孔から差し込まれる光軸調整用工具の先端部を光軸調整操作部へ誘導する誘導部６５とを有する。【選択図】図５
2018197077.tif 000002
【特許請求の範囲】
【請求項１】
ランプの光が出射する出射光部の周りに設けられるランプベゼルと、
前記ランプベゼルの裏面側に配置されて前記ランプの光軸をランプベゼル側から調整可能な光軸調整操作部と、
前記ランプベゼルに設けられ、光軸調整用工具を前記ランプベゼルの外側から前記光軸調整操作部へ向けて差し込み可能なエイミング孔と、
前記エイミング孔に開閉可能に設けられ、前記エイミング孔を閉じる閉位置とエイミング孔を開放する開位置との間で回動可能に支持されたカバーと、
前記カバーに設けられ、前記カバーを開位置とした状態で、前記光軸調整操作部の前方に位置されて、前記エイミング孔から差し込まれる前記光軸調整用工具の先端部を前記光軸調整操作部へ誘導する誘導部と
を具備したことを特徴とする車両の光軸調整装置。
【請求項２】
前記誘導部は、前記カバーの裏面から突出されるとともに、その先端に凹部を有し、
前記凹部は、前記カバーを開位置とした状態で、前記光軸調整操作部の前方に位置されて、前記エイミング孔の前記カバーの裏面と対向する側に位置する開口縁部と共同して前記光軸調整用工具の先端部の差し込み経路を規制する
ことを特徴とする請求項１に記載の車両の光軸調整装置。
【請求項３】
前記誘導部は、前記カバーを開位置とした状態で、前記エイミング孔の前記開口縁部に対して前記光軸調整用工具の差し込み方向にオフセットした位置とされる
ことを特徴とする請求項２に記載の車両の光軸調整装置。
【請求項４】
前記エイミング孔の前記カバーの裏面と対向する側に位置する前記開口縁部分には、前記光軸調整用工具の差し込み位置をガイドする凹形リブが設けられる
ことを特徴とする請求項２または請求項３に記載の車両の光軸調整装置。
【請求項５】
前記光軸調整操作部は、前記ランプの光軸を調整するエイミングスクリューを有し、
前記誘導部の凹部は、前記カバーを開位置とした状態で、前記エイミングスクリューの軸中心の延長線の回りを囲むように配置される
ことを特徴とする請求項２から請求項４のいずれか１項に記載の車両の光軸調整装置。
【請求項６】
前記カバーは、脚部により、前記閉位置と前記開位置との間を回動可能に支持され、
前記脚部は、当該カバーの裏面の幅方向両側から前記エイミング孔内へ延び、前記ランプベゼルの内側で回動可能に支持される一対の脚と、前記カバーの裏面から当該一対の脚間をつなぐように突き出た補強リブとを有し、
前記補強リブの先端の幅方向中間位置に前記凹部が形成され、
前記誘導部は、前記補強リブと前記凹部を含んで構成される
ことを特徴とする請求項２から請求項５のいずれか１項に記載の車両の光軸調整装置。
【発明の詳細な説明】
【技術分野】
【０００１】
本発明は、ランプの光軸を調整する車両の光軸調整装置に関する。
【背景技術】
【０００２】
フォグランプが装備される自動車など車両では、フォグランプをバンパフェースに組み付けた後、車両に合わせてフォグランプの光軸を調整することが求められる。
そのため、フォグランプは、光軸を調整可能とする光軸調整機構部が装備され、同光軸調整機構部に設けられた光軸調整操作部を、外部から光軸調整用工具にて操作することでフォグランプの光軸の調整が行われるようにしている。
【０００３】
多くは、特許文献１のようにバンパ下部やバンパ裏面側から光軸調整操作部を操作するような構成とされているが、特許文献１のような場合、車両の下に潜り込んでの作業となるため作業性が悪い。そのため、特許文献２のようにフォグランプの前方側から光軸調整の作業ができるように、フォグランプとバンパフェースとの間から光軸調整操作部（エイミングスクリュー）を操作可能とし、フォグランプとバンパフェースとの隙間を着脱式のカバー（ランプベゼル等）で覆うように構成したものがある。
【先行技術文献】
【特許文献】
【０００４】
【特許文献１】特開２０１４−２８５５４号公報
【特許文献２】特開平０８−６４００６号公報
【発明の概要】
【発明が解決しようとする課題】
【０００５】
ところが、特許文献２のように光軸調整操作部がカバー（ランプベゼル等）で覆われている場合、カバーを外す必要がある。このようなカバーは、走行中に脱落しないようにボルト等で強固に固定されているなど、外れ難い構成となっているためカバーを外す作業が煩雑であった。中には、カバーにエイミング孔を開け、カバーの外側（表面側）から光軸調整の作業ができるようにしたものもあるが、エイミング孔は、常時、車両の外部（車両の表面）に開放されているため、見栄えが悪くなる問題がある。また、光軸調整操作部は、エイミング孔から奥側に配置されていることが多く、カバーにエイミング孔を開けた場合、エイミング孔の外部（カバーの外側）からは光軸調整操作部の有る位置が確認しずらい。このため、エイミング孔から光軸調整用工具の先端部を差し込んでも、同工具の先端部を一度で光軸調整操作部に合わせることは難しく、光軸調整操作部に工具先端部を位置決める作業が面倒となっている。
【０００６】
そこで、本発明の目的は、簡単な構造で、エイミング孔の見栄えの良好化と工具先端部を位置決める作業の容易化とが図れる車両の光軸調整装置を提供する。
【課題を解決するための手段】
【０００７】
本発明の態様は、ランプの光が出射する出射光部の周りに設けられるランプベゼルと、ランプベゼルの裏面側に配置されてランプの光軸をランプベゼル側から調整可能な光軸調整操作部と、ランプベゼルに設けられ、光軸調整用工具をランプベゼルの外側から光軸調整操作部へ向けて差し込み可能なエイミング孔と、エイミング孔に開閉可能に設けられ、エイミング孔を閉じる閉位置とエイミング孔を開放する開位置との間で回動可能に支持されたカバーと、カバーに設けられ、カバーを開位置とした状態で、光軸調整操作部の前方に位置されて、エイミング孔から差し込まれる光軸調整用工具の先端部を光軸調整操作部へ誘導する誘導部とを具備したことにある。
【発明の効果】
【０００８】
本発明によれば、エイミング孔の開口は、カバーにより、覆い隠されるので、見栄えが良くなる。しかも、フォグランプの光軸調整を行うべく、カバーを開位置にしてエイミング孔を開放すると、カバーに設けてある誘導部が光軸調整操作部の前方に配置されるので、光軸調整用工具の先端部を誘導部に合わせてエイミング孔へ差し込むだけで、迷うことなく光軸調整用工具の先端部が光軸調整操作部に的確に位置決められ、容易に光軸調整作業を行うことができる。
【０００９】
したがって、簡単な構造で、エイミング孔の見栄えの良好化と工具先端部を位置決める作業の容易化とを図ることができる。しかも、カバーの一部を利用して誘導部を設けているので別途部品を設定する必要がなく、簡素な構造とすることができるうえ、コストの低減化も図れる。
【図面の簡単な説明】
【００１０】
【図１】本発明の一実施形態に係る態様となるフォグランプの光軸調整を行うエイミング孔周辺を示す斜視図。
【図２】同エイミング孔を、光軸調整用工具、フォグランプの光軸調整機構および光軸調整操作部と共に示す斜視図。
【図３】エイミング、同エイミング孔を開閉するカバー、同カバーの脚部、同カバーの脚部を回動に支持する構造、同脚部の誘導部を示す分解斜視図。
【図４】エイミング孔を閉じたときのカバー各部の断面図。
【図５】エイミング孔を開放したときのカバー各部の断面図。
【図６】図５図中、矢視Ａから見たときにおける誘導部、凹形リブの外形を示す図。
【発明を実施するための形態】
【００１１】
以下、本発明を図１から図６に示す一実施形態にもとづいて説明する。
図１は、フォグランプ、同フォグランプの光軸調整装置を装備した車両（例えば自動車）の前端部分を示し、図２は、同光軸調整装置の各部を示し、図３は、同光軸調整装置のエイミング孔および同エイミング孔を開閉するカバーを拡大して示し、図４〜図６は、同エイミング孔、エイミング孔を開閉するカバーの各状態における断面図や矢視図（図５中の矢視Ａ）を示している。
【００１２】
車両（自動車）について説明すると、図１中３は、車両の車体（図示しない）の端部、例えば前端部に設けられたバンパ１のバンパフェースを示し、同じく符号５は、同バンパフェース３の車幅方向端側に設けられたフォグランプ装置を示している。
図１および図２にも示されるようにフォグランプ装置５は、フォグランプ７と、同フォグランプ７の出射光部９（光が出射する部分）の周りを囲うように設けられたランプベゼル１１とを有している。このフォグランプ装置５に、図２のように光軸調整装置１３が設けられる。
【００１３】
光軸調整装置１３は、フォグランプ７の本体部７ａに設けられたフォグランプ７の光軸を上下方向で調整可能とする光軸調整機構部１４と、同光軸調整機構部１４に設けられた光軸調整操作部１５と、ランプベゼル１１の出射光部９を囲う枠部分の一部、例えば環状枠部１２の中央直上の円弧面部分に設けられた角形のエイミング孔１７とを有している。エイミング孔１７は、ランプベゼル１１の外側（表面側）から例えばプラスドライバーなど光軸調整用工具１９を差し込むのに用いるものである。
【００１４】
図２に示されるように例えば光軸調整機構部１４は、車体前端部を構成するフレーム部材（図示しない）に、フォグランプ７の本体部７ａの上半分を直径方向から囲う円弧形の支持アーム２１を固定する。そして、この支持アーム２１のフォグランプ７の光軸ａを挟んだ左右両端部と本体部７ａの左右両側部とを一対のヒンジ部２３（片側しか図示しない）を介して支持する構造が用いられる。ヒンジ部２３のヒンジ中心は、フォグランプ７の光軸ａと交差する点に配置され、ヒンジ中心を支点にフォグランプ７の光軸ａの角度が上下方向に変えられる。
【００１５】
光軸調整操作部１５は、例えば光軸方向に沿わせて配置したねじ軸であるエイミングスクリュー２５の頭部（基端部）をフォグランプ７の本体部７ａの上部に突設されたブラケット２７に対し回動自在に支持させ、エイミングスクリュー２５の先端側を支持アーム２１の中央部に形成されたねじ受部２９に対し進退可能に螺挿させた構造が用いられる。これにより、エイミングスクリュー２５を時計方向あるいは反時計方向に回転させると、ねじ受部２９の位置が変化し、フォグランプ７の光軸ａがヒンジ部２３を中心に上方向あるいは下方向へ変位する。そして、エイミングスクリュー２５の頭部には、エイミング孔１７から差し込まれる光軸調整用工具１９の先端部１９ａと係脱可能な係合部２５ａが形成されていて、差し込まれた光軸調整用工具１９で光軸調整操作部１５を操作すると、フォグランプ７の光軸ａの調整（上下方向）が行える。
【００１６】
また、光軸調整操作部１５は、ランプベゼル１１の裏面側（車両後方側）で、エイミング孔１７とフォグランプ７の光軸ａ方向（車両前後方向）で対向するよう配置されている。光軸調整操作部１５は、エイミングスクリュー２５の中心線（軸中心）を延長した延長線ｂがエイミング孔１７の開口内を通るようにエイミングスクリュー２５の頭部（係合部２５ａ）がランプベゼル１１側に向けられており、ランプベゼル１１側、すなわち車両前方側からエイミング孔１７を介してフォグランプ７の光軸ａの調整作業ができるようになっている。
【００１７】
一方、図１〜図３に示されるように角形のエイミング孔１７には、同エイミング孔１７を開閉する角形のカバー３３が回動自在に支持されている。このカバー３３の詳細な構造については後述する。
エイミング孔１７は、このカバー３３が嵌る大きさをもつ。このエイミング孔１７の開口縁部のうち、左右両側（車両）の開口縁部からは、図３および図４（ｃ）に示されるように下方へ延びる一対の壁部３５が形成される。壁部３５の車両後部側は、エイミング孔１７の後方（車両）、すなわちランプベゼル１１内の奥側へ向かって延び、各壁部３５の後部を車両後方へ光軸方向沿いに帯形に張り出させている。
【００１８】
図３および図４に示されるようにエイミング孔１７の開口縁部から延びる壁部３５の内面の上端部からは、エイミング孔１７の開口端と段差を有して、エイミング孔１７の開口縁部沿いに壁部３５の後部端まで延びる一対のリブ部３９（図３では片側しか図示しない）が張り出している。このエイミング孔１７の内側へ張り出るリブ部分にて、閉じたカバー３３の周縁部を受け止め、カバー３３とエイミング孔１７周囲の環状枠部１２の表面と面一に位置決める受け座４１を構成している。またエイミング孔１７の車両前側、後側の開口縁分からは、エイミング孔１７の内側へ向かい突き出るリブ部４２ａ，４２ｂが形成されていて、閉じたカバー３３の周縁部に対しリブ部４２ａ，４２ｂがそれぞれオーバーラップし、光がカバー３３の周辺から漏れない構造としている。
【００１９】
また図３および図４にも示されるように一対の壁部３５の内面の下端部には、上記一対のリブ部３９よりもエイミング孔１７の内側へ突き出た一対のリブ部４３が設けられている。例えば一対のリブ部４３は、一対のリブ部３９の前端部の直下部分から始まり、同リブ部３９からＶ字形を描くように次第に離れて光軸方向沿いに延び、後方へ張り出た壁部３５の後端部の内面を円形に囲うよう延びている。この壁部３５の厚み寸法を増すリブ部４３で囲まれる円形な壁部３５部分に、上記カバー３３を支持するカバー支持孔４５（円形）が設けられている。ちなみにリブ部４３は、壁部３５の上側のリブ部３９の後端部と連なり、カバー支持孔４５の有る壁部分の剛性を高めている。
【００２０】
一方、図３〜図５に示されるようにカバー３３は、エイミング孔１７に嵌合可能な角形板状の蓋体４７と、この蓋体４７の内面（裏面）から突き出た脚部４９とを有している。蓋体４７は、受け座４１で受け止められると、エイミング孔１７周囲の環状枠部１２の表面と面一になる外形形状をもつ。
すなわち、図３に示されるように脚部４９は、蓋体４７の裏面の左右両側（車幅方向両側）から突き出た一対の脚５１と、同脚５１の間に設けられた板状の補強リブ５３とを有する。一対の脚５１は、エイミング孔１７の左右の受け座４１の直近を通り、エイミング孔１７内へ差し込まれる幅広の板状部５１ａと、同板状部５１ａの各後部端からエイミング孔１７の後方（車体後側）へ延びる帯形状部５１ｂとを有している。補強リブ５３は、蓋体４７の裏面から、板状部５１ａ間をつなぐよう突き出ていて、脚５１を補強している。ちなみに脚５１間に渡る補強リブ５３は、板状部５１ａの後部側に配置される。また補強リブ５３は、蓋体４７と直交する向きで突き出ている。
【００２１】
エイミング孔１７内へ延びる各帯形状部５１ｂの端部の外側面には、カバー３３の回動中心となる一対のピン部５５（円柱形）が突設されている。一対のピン部５５は、上記一対のカバー支持孔４５に回動可能に差し込まれ、図４および図５に示されるようにカバー３３が、エイミング孔１７を閉じる閉位置αとエイミング孔１７を開放する開位置βとの間を回動するよう支持される。このカバー３３の取付けには、下側のリブ部４３を差し込みガイドとし、帯形状部５１ｂ端の厚み寸法が厚くなるリブ部分をストッパとして用いて、取付作業を容易に行わせる構造が用いられている。
【００２２】
具体的にはカバー３３のピン部５５を、帯形状部５１ｂを内側へ弾性変位させ、その状態のまま、図４（ｃ）中の二点鎖線に示されるようにエイミング孔１７から、壁部３５の壁面に突き当てつつ、下側のリブ部４３の上面に沿って、ランプベゼル１１の奥側、すなわちリブ部４３の端（ストッパ）と突き当たるまで差し込めば、図４（ｃ）中の実線に示されるようにピン部５５の先端部とカバー支持孔４５とが位置決められる。その位置決められた時点で、帯形状部５１ｂが元の状態に戻ろうとする弾性力により、ピン部５５がカバー支持孔４５へ差し込まれる構造となっている。
【００２３】
また図４に示されるように各板状部５１ａの外側面の上段には、カバー３３が閉位置αに配置されると、リブ部３９の前側のリブ部分の下面と係止する係止突起５７が設けられている。図５に示されるように各板状部５１ａの外側面の下段には、カバー３３が開位置βに配置されると、リブ部４３の前側のリブ部分の上面と係止する係止突起５９が設けられる。さらにエイミング孔１７の後部側に位置するリブ部４２ｂの先端部には、カバー３３が開位置βに配置されたとき、帯形状部５１ｂの上面と当接する当接部６１が形成され、カバー３３全体が各閉位置α、開位置βにおいて保持される構造となっている。
【００２４】
これにて、カバー３３をエイミング孔１７に開閉可能に組み付けている。ちなみに蓋体４７の前端には、カバー３３を開閉するときに指先を差し込む切欠き部３３ａが設けられている（図３、図６）。
この開閉可能に組み付けたカバー３３には、図２〜図５に示されるようにエイミング孔１７から差し込まれる光軸調整用工具１９の先端部１９ａを、光軸調整操作部１５のエイミングスクリュー２５の頭部（係合部２５ａ）へ誘導する誘導部６５が設けられている。誘導部６５は、カバー３３の脚部４９の一部を利用した構造で構成されている。本実施形態では、カバー３３の脚部４９を構成する補強リブ５３で誘導部６５が構成されている。
【００２５】
誘導部の構造を図５、図６を用いて詳細に説明する。なお、図５中、二点差線で示す部分γは、カバー３３を開放したエイミング孔１７に光軸調整用工具１９の先端部１９ａが差し込まれて光軸調整操作部１５のエイミングスクリュー２５の頭部（係合部２５ａ）に係合された状態を表しており、光軸調整用工具１９を差し込む際の経路を示している。この経路γは、エイミングスクリュー２５の軸中心の延長線ｂを基準にして設定される。
【００２６】
補強リブ５３は、カバー３３が開位置βとされてエイミング孔１７が開放されたとき、エイミングスクリュー２５の頭部の前方に位置するよう構成されている。詳しくは、補強リブ５３は、カバー３３が開位置βとされた状態で、エイミング孔１７の前側（フォグランプ７側）に位置する開口縁部であるリブ部４２ａとエイミングスクリュー２５の頭部との間に配置され、その先端部が光軸調整用工具１９の経路γと交差する位置まで延長されている。そして、この補強リブ５３の延長部５３ａの先端部の幅方向の中間位置には、光軸調整用工具１９の先端部１９ａの差し込み位置をガイドする凹部６７が形成されている。凹部６７は、図６に示されるようにカバー３３を開位置βとした状態で、エイミングスクリュー２５の軸中心の延長線ｂの周りを囲む、すなわち経路γの周りを囲むような凹状とされている。本実施形態では、凹部６７は、光軸調整用工具１９の先端部１９ａの外周形状に沿う形状とされ、例えば経路γ（延長線ｂ）を上側から囲う半円形状とされている。すなわち、凹部６７は、カバー３３を開位置βとした状態で、経路γ（延長線ｂ）を上側から囲うよう配置される。これにより、カバー３３を開位置βとしてエイミング孔１７を開放すると、エイミングスクリュー２５の頭部（係合部２５ａ）の前方には、補強リブ５３の凹部６７が誘導部６５として配置される。この補強リブ３５の凹部６７により、エイミング孔１７に差し込まれる光軸調整用工具１９の先端部１９ａの上側および左右方向の位置、すなわち差し込み位置を規制することができるようになっている。
【００２７】
また図３および図６に示されるようにエイミング孔１７の開口縁部のうち、経路γを挟んだ補強リブ５３（凹部６７）と反対側（カバー３３の裏面と対向する側）に位置する前側の開口縁部、ここではリブ部４２ａには、経路γ（延長線ｂ）の下側の周りを囲うように配置されて光軸調整用工具１９の先端部１９ａをガイドする凹形リブ６９が設けられている。凹形リブ６９も凹部６７と同様に光軸調整用工具１９の先端部１９ａの外周形状に沿う半円形状とされている。そして、図５および図６に示されるように離れた上下二個所の位置に有る凹部６７と凹形リブ６９（リブ部４２ａ）との共同により、光軸調整用工具１９の先端部１９ａの差し込み方向が経路γに沿うように上下および左右の位置を規制して、エイミングスクリュー２５の頭部（光軸調整操作部１５）へ誘導できるようになっている。なお、本実施形態では、補強リブ５３（凹部６７）の位置と、エイミング孔１７の開口縁部であるリブ部４２ａ（凹形リブ６９）の位置とが光軸調整用工具１９の差し込み方向（車両前後方向）でオフセットした構成となっている。そのため、光軸調整用工具１９の先端部１９ａに対してエイミングスクリュー２５の軸方向において離れた２箇所で上下の異なる方向から位置を規制することができるので、光軸調整用工具１９の先端部１９ａの向きを光軸調整操作部１５のエイミングスクリュー２５の頭部（係合部２５ａ）に向けて、より正確に方向付けして誘導することができる。
【００２８】
このように、誘導部６５を構成する補強リブ５３の凹部６７は、凹形リブ６９（リブ４２ａ）との間で、光軸調整用工具１９の先端部１９ａの差し込み経路を規制することで、的確に光軸調整用工具１９の先端部１９ａがエイミングスクリュー２５の頭部（光軸調整操作部１５）へ導かれるようにしている。
つぎに、このように構成された光軸調整装置１３の作用を説明する。
【００２９】
エイミング孔１７は、常態では図１（ａ）に示されるようにカバー３３で閉じられ、エイミング孔１７の見栄えを良好なものとしている。ちなみに閉じられたカバー３３は、リブ部３９に係止突起５７が係止することによって保持され、むみやみにカバー３３が開くことはない（図４（ｂ））。
一方、フォグランプ７の光軸調整を行うとする。このときは、まず、切欠き部３３ａに指先を入れ、図１（ｂ）、図２および図５（ａ）に示されるようにカバー３３をピン部５５を支点に、閉位置αから開位置βへ回動する。すると図５（ａ），（ｂ）に示されるようにリブ部４３に係止突起５９は係止され、帯形状部５１ｂが当接部６１と突き当たり、カバー３３は開位置βで保持される。
【００３０】
このカバー３３が開位置βとされることでエイミング孔１７は、開放された状態となる。この状態では、図６に示されるようにカバー３３の脚５１間に設けられる補強リブ５３の先端部に形成された凹部６７が経路γの上側を囲う位置に位置決められる。そして、エイミング孔１７の前側の開口縁部であるリブ４２ａ（凹形リブ６９）に対して後方側にオフセットした位置に補強リブ５３の凹部６７が配置される。
【００３１】
これにより、図５（ａ）に示されるように、光軸調整操作部１５を構成するエイミングスクリュー２５の頭部の前方の経路γ上には、光軸調整用工具１９の先端部１９ａをエイミングスクリュー２５の頭部へ誘導する凹形リブ６９および凹部６７が順に配置され、光軸調整用工具１９を差し込む体制が整う。
プラスドライバーなど光軸調整用工具１９をエイミング孔１７に差し込む際には、図２および図５（ａ）に示されるように、まず光軸調整用工具１９の先端部１９ａをエイミング孔１７の開口縁部のリブ４２ａの凹形リブ６９、補強リブ５３の凹部６７の順に当てながら差し込むことで、光軸調整用工具１９の先端部１９ａの上下および左右が規制され、進行方向が、凹形リブ６９および凹部６７によりガイドされる。この状態で、さらに光軸調整用工具１９を奥へ差し込んでいくと、先端部１９ａは、光軸調整操作部１５を構成するエイミングスクリュー２５の頭部へ導かれる（誘導）。これにより、光軸調整用工具１９の先端部１９ａに有る例えばプラス形突起（図示しない）は、エイミングスクリュー２５の頭部に有る例えばプラス形溝で形成される係合部２５ａと係合する。光軸調整用工具１９の先端部１９ａとエイミングスクリュー２５の頭部の係合部２５ａとが係合された状態で、光軸調整用工具１９を操作して、エイミングスクリュー２５を時計方向あるいは反時計方向へ回動すると、フォグランプ７はヒンジ部２３を支点に上方向あるいは下方向へ回動され、フォグランプ７の光軸ａの角度が調整される（光軸調整）。
【００３２】
以上説明したように、本発明の上記実施形態によれば、カバー３３により、エイミング孔１７の開口を覆い隠すので、見栄えは良くなる、しかも、カバー３３に凹部６７を有する誘導部６５を設けて、エイミング孔１７を開放したとき、エイミングスクリュー２５（光軸調整操作部１５）の前方に誘導部６５が配置されるよう構成し、エイミング孔１７から差し込まれる光軸調整用工具１９をエイミングスクリュー２５（光軸調整操作部１５）へ誘導する機能が発揮されるようにしたので、光軸調整用工具１９は、エイミング孔１７から先端部１９ａを差し込みさえすれば、迷うことなく一度で光軸調整用工具１９の先端部１９ａがエイミングスクリュー２５（光軸調整操作部１５）に的確に位置決められる。つまり、容易に光軸調整作業が行える。
【００３３】
したがって、簡単な構造で、エイミング孔１７の見栄えの良好化とエイミングスクリュー２５（光軸調整操作部１５）に工具先端部を位置決める作業の容易化とを図ることができる。しかも、エイミング孔１７を開閉するカバー３３の脚部４９を補強する補強リブ５３に誘導部６５としての機能を持たせたので、別途部材を設ける必要がなく、光軸調整用工具１９が通る経路γの周りは簡素化されるうえ、コストの低減化を図ることができる。
【００３４】
そのうえ、カバー３３の脚部４９を一対の脚５１、補強リブ５３から構成すると、誘導部６５は補強リブ５３を延長したり延長部分に凹部６７を形成するだけでよく、コストを抑えた簡素な構造ですむ。
また、カバー３３の凹部６７に加えて、エイミング孔１７の開口縁部分に凹形リブ６９を設けたことにより、一層、的確に光軸調整用工具１９の先端部１９ａをエイミングスクリュー２５（光軸調整操作部１５）に位置決めることができる。
【００３５】
なお、本発明は、上述した一実施形態に限定されるものではなく、本発明の主旨を逸脱しない範囲内で種々可変して実施しても構わない。例えば、上記一実施形態では、カバーを閉位置や開位置に保持する構造に、係止突起や当接部を用いたが、これに限らず、他の構造でも構わない。
また、上記一実施形態では、補強リブの凹部および、エイミング孔の前側の開口縁部の凹形リブを半円形状に形成したが、光軸調整用工具の先端部の位置を規制できる形状であれば半円形状で無くてもよく、例えば三角形状であってもよい。
【００３６】
また、エイミング孔は、ランプベゼルの上部に形成されているが、光軸調整操作部のエイミングスクリューの軸中心の延長線がエイミング孔の開口内を通過する構成となっていれば、ランプベゼルの下部や側部に形成されていてもよい。
【符号の説明】
【００３７】
３  バンパフェース
７  フォグランプ
１１  ランプベゼル
１５  光軸調整操作部
１７  エイミング孔
１９  光軸調整用工具
２５  エイミングスクリュー
３３  カバー
４９  脚部
５１  脚
５３  補強リブ
６９  凹形リブ
６５  誘導部
６７  凹部
ａ  光軸
ｂ  エイミングスクリューの軸中心の延長線
α  閉位置
β  開位置
γ  経路
【図１】
2018197077.tif 000003
【図２】
2018197077.tif 000004
【図３】
2018197077.tif 000005
【図４】
2018197077.tif 000006
【図５】
2018197077.tif 000007
【図６】
2018197077.tif 000008